(57)【要約】【課題】  盤のアース端子からアース線が外れることを防ぎ、作業性の低下を防止することを可能にする電気設備用の試験プラグ用アース線取り付け装置を提供する。【解決手段】  電流試験ターミナル１２ａ〜１２ｅを備える電気設備のアース端子１１に、電流試験ターミナル１２ａ〜１２ｅに挿入されるＣＴＴ５１〜５４を接続する試験プラグ用アース線取り付け装置であって、一端がアース端子１１に接続されているアース側リード線３０と、一端がＣＴＴ５１〜５４に接続されているプラグ側リード線４１〜４４と、端子２４ａ１〜２４ａ８、２４ｂ１〜２４ｂ８を備え、アース側リード線３０の他端およびプラグ側リード線４１〜４４の他端が接続され、アース側リード線３０の他端とプラグ側リード線４１〜４４の他端との間を、各端子を中継して接続する端子台部２０とを備える。【選択図】  図１
2020129870.tif 000002
【特許請求の範囲】
【請求項１】
複数の試験ターミナルを備える電気設備のアース端子に、前記試験ターミナルに挿入される少なくとも一つの試験プラグを接続する試験プラグ用アース線取り付け装置であって、
一端が前記アース端子に接続されているアース側接続線と、
一端が前記試験プラグに接続されているプラグ側接続線と、
複数の端子を備え、前記アース側接続線の他端および前記プラグ側接続線の他端が接続され、前記アース側接続線の他端と前記プラグ側接続線の他端との間を、前記端子を中継して接続する端子台部と、
を備えることを特徴とする試験プラグ用アース線取り付け装置。
【請求項２】
前記端子台部は複数の端子が両側に配列され、前記一方の列の端子と前記他方の列の端子とが電気的にそれぞれ接続された構成であり、
前記一方の列の端子には、前記試験プラグに一端が接続されている前記プラグ側接続線の他端が接続され、
前記他方の列の端子の一つには、前記アース端子に一端が接続されている前記アース側接続線の他端が接続され、
前記他方の列の端子側では、前記アース側接続線が接続されている端子を含む各端子間を中継して接続する、
ことを特徴とする請求項１に記載の試験プラグ用アース線取り付け装置。
【請求項３】
前記端子台部は、前記電気設備の盤に吸着して固定する固定具を備える、
ことを特徴とする請求項１または２に記載の試験プラグ用アース線取り付け装置。
【発明の詳細な説明】
【技術分野】
【０００１】
この発明は、発変電所等に設置されている電気設備を試験する際に用いられる試験プラグ用アース線取り付け装置に関する。
【背景技術】
【０００２】
発変電所の電気設備として保護継電器などがある。保護継電器を収納する保護継電器盤には試験作業等の際に用いられる電流試験ターミナルが設けられている。この電流試験ターミナルには、試験等の際に試験プラグ（ＣＴＴ）が挿入される。ＣＴＴの挿入により、ＣＴ（Ｃｕｒｒｅｎｔ  Ｔｒａｎｓｆｏｒｍａｒｓ：変流器）用アースが浮く回路、例えば８７リレー等がある。この場合、作業員は、保護継電器盤のアース端子とＣＴＴとの間をＩＶ線（屋内配線用のビニル絶縁電線）で接続した後、ＣＴＴを電流試験ターミナルに挿入している。作業者は、複数のＣＴＴに対する、こうしたアース線の配線作業を行っている。
【０００３】
一方、アース線を接続する中継用の端子台を配設することにより、配線の作業を簡便にする分電盤がある（例えば、特許文献１参照。）。この分電盤では、２本の電源線バーと中性線バーの付近に、アース端子に接続される接地バーが並設されている。そして、接地バーに対してアース線が接続される。
【先行技術文献】
【特許文献】
【０００４】
【特許文献１】特開２００１−１６７１４号公報
【発明の概要】
【発明が解決しようとする課題】
【０００５】
しかし、先に述べたＩＶ線でＣＴＴとアース端子との間を接続する方式には次の課題がある。通常、アース端子は同一の保護継電器盤に１個設けられている。これに対して、保護継電器盤に挿入するＣＴＴが複数ある場合、１個のアース端子に複数のＩＶ線を接続することが必要となる。この場合、１個のアース端子に複数のＩＶ線の端子を接続すると、ＩＶ線の端子が外れ易くなる問題がある。
【０００６】
また、ＩＶ線にはＣＴＴが接続されている状態で作業員がＣＴＴを手に持って動かすと、ＩＶ線がＣＴＴの動きに伴って揺動する。１個のアース端子に対して複数のＩＶ線の端子が接続されていると、ＩＶ線の端子がさらに外れ易くなる問題がある。
【０００７】
また、隣接盤のアース端子に分割して接続する方法もある。しかし、可動盤の場合は盤を開閉することがあるので、同一盤での接続が作業性の面からも望ましい。
【０００８】
一方、先に述べた配線の作業を簡便にする分電盤の場合、２本の電源線バーと中性線バーの付近に、アース端子に接続される接地バーを設ける必要がある。そして、接地バーにアース線を接続する必要がある。このために、この分電盤では、アース線を接続するための作業が複雑になってしまい、作業性の面でこの分電盤の方式を利用することができない。
【０００９】
この発明の目的は、前記の課題を解決し、盤のアース端子からアース線が外れることを防ぎ、作業性の低下を防止することを可能にする電気設備用の試験プラグ用アース線取り付け装置を提供することにある。
【課題を解決するための手段】
【００１０】
前記の課題を解決するために、請求項１の発明は、複数の試験ターミナルを備える電気設備のアース端子に、前記試験ターミナルに挿入される少なくとも一つの試験プラグを接続する試験プラグ用アース線取り付け装置であって、一端が前記アース端子に接続されているアース側接続線と、一端が前記試験プラグに接続されているプラグ側接続線と、複数の端子を備え、前記アース側接続線の他端および前記プラグ側接続線の他端が接続され、前記アース側接続線の他端と前記プラグ側接続線の他端との間を、前記端子を中継して接続する端子台部と、を備えることを特徴とする試験プラグ用アース線取り付け装置である。
【００１１】
請求項１の発明では、複数の試験ターミナルを備える電気設備のアース端子に、試験ターミナルに挿入される少なくとも一つの試験プラグを接続する。このために、端子台部にはアース側接続線の他端およびプラグ側接続線の他端が接続される。端子台部は、アース側接続線の他端とプラグ側接続線の他端との間を、端子を中継して接続する。
【００１２】
請求項２の発明は、請求項１に記載の試験プラグ用アース線取り付け装置において、前記端子台部は複数の端子が両側に配列され、前記一方の列の端子と前記他方の列の端子とが電気的にそれぞれ接続された構成であり、前記一方の列の端子には、前記試験プラグに一端が接続されている前記プラグ側接続線の他端が接続され、前記他方の列の端子の一つには、前記アース端子に一端が接続されている前記アース側接続線の他端が接続され、前記他方の列の端子側では、前記アース側接続線が接続されている端子を含む各端子間を中継して接続する、ことを特徴とする。
【００１３】
請求項３の発明は、請求項１または２に記載の試験プラグ用アース線取り付け装置において、前記端子台部は、前記電気設備の盤に吸着して固定する固定具を備える、ことを特徴とする。
【発明の効果】
【００１４】
請求項１の発明によれば、アース側接続線とプラグ側接続線との間を端子台部の端子を中継して接続するので、アース端子には一本のアース側接続線を接続することになる。この結果、一つのアース端子に対して複数の接続線を接続する従来に比べて、電気設備のアース端子からアース側接続線が外れることを防ぐことができる。また、同一の電気設備での接地ができるので、作業性の低下を防止することを可能にする。
【００１５】
請求項２の発明によれば、一方の列の端子と他方の列の端子とが並んでいる端子台部を用いて、アース側接続線とプラグ側接続線との間を接続するので、端子台部に対する各接続線の取り付け作業を簡便に行うことを可能にする。
【００１６】
請求項３の発明によれば、電気設備の盤に対して固定具が使用されるので、端子台部を盤に固定することを簡単に行うことができる。
【図面の簡単な説明】
【００１７】
【図１】この発明の一実施の形態による試験プラグ用アース線取り付け装置の構成を示す構成図である。
【図２】ＣＴＴの一例を示す平面図である。
【図３】ＣＴＴの一例を示す正面図である。
【図４】端子台部の一例を示す平面図である。
【図５】端子台部の一例を示す正面図である。
【図６】端子台部による接続の一例を示す図である。
【発明を実施するための形態】
【００１８】
次に、この発明の各実施の形態について、図面を用いて詳しく説明する。
【００１９】
（実施の形態１）
この実施の形態による試験プラグ用アース線取り付け装置を図１に示す。この実施の形態では、電気設備として保護継電器を例としている。この試験プラグ用アース線取り付け装置は、保護継電器盤１０のアース端子１１と、端子台部２０と、アース側リード線３０と、プラグ側リード線４１〜４４と、ＣＴＴ（試験プラグ）５１〜５４とを備えている。なお、この実施の形態ではＣＴＴの数が４であるが、これに限定されることはない。
【００２０】
保護継電器盤１０は金属製の箱型の盤であり、通常、正面が扉１０ａになっていて開閉可能である。保護継電器盤１０は保護継電器（図示を省略）を内部に備えている。この実施の形態では、保護継電器盤１０の扉１０ａ側には一つのアース端子１１が取り付けられている。アース端子１１は、保護継電器盤１０の内部で接地されている。アース端子１１には、リード線の先端に取り付けられている端子が接続可能である。この場合、アース端子１１の先端部のツマミを緩めるか、または外すことでリード線が接続される。
【００２１】
保護継電器盤１０には、保護継電器の試験を行う際に用いられる電流試験ターミナル１２ａ〜１２ｅが設けられている。電流試験ターミナル１２ａ〜１２ｅには、ＣＴＴ５１〜５４を挿入するための開口１２ａ１〜１２ｅ１が開けられている。電流試験ターミナル１２ａ〜１２ｅの内部には、ＣＴＴ５１〜５４が挿入された際に、ＣＴＴ５１〜５４の接触子と電気的に接触する端子（図示を省略）が設けられている。
【００２２】
ＣＴＴ５１〜５４は保護継電器の試験を行う際に用いられるものであり、例えばＣＴＴ５１を図２と図３に示す。ＣＴＴ５１は段差のある絶縁性の箱状の台部５１ａを備えている。台部５１ａの一方の側面（背面）からは絶縁板５１ｂが突き出て設けられている。絶縁板５１ｂの一方の表面には４つの接触端子５１ｃ１〜５１ｃ４が平行に並んで配置され、他方の表面には同じく４つの接触端子が平行に並んで配置されている。表面側の４つの接触端子５１ｃ１〜５１ｃ４と裏面側の４つの接触端子とは絶縁板５１ｂを挟んで向かい合うように配置されている。そして、互いに向かい合う表面側の接触端子５１ｃ１と裏面側の接触端子とは一対となっている。他の接触端子５１ｃ２〜５１ｃ４も同様である。
【００２３】
一方、ＣＴＴ５１の台部５１ａの他方の側面（正面）からは接続端子５１ｄ１〜５１ｄ４が配置されている。例えば接続端子５１ｄ１は端子部分５１ｄ１１と端子部分５１ｄ１２とを備え、端子部分５１ｄ１１と端子部分５１ｄ１２とは電気的に絶縁されている。端子部分５１ｄ１１と端子部分５１ｄ１２とは、絶縁板５１ｂに設けられている、接触端子５１ｃ１を含む一対の接触端子にそれぞれ電気的に接続されている。接続端子５１ｄ２〜５１ｄ４は接続端子５１ｄ１と同様である。
【００２４】
保護継電器の試験の際には３枚の金属製の接続片５１ｅにより、ＣＴＴ５１の端子部分５１ｄ１１と端子部分５１ｄ２１との間、端子部分５１ｄ２１と端子部分５１ｄ３１との間、端子部分５１ｄ３１と端子部分５１ｄ４１との間が短絡される。さらに、接続端子５１ｄ１〜５１ｄ４が短絡されている状態で、接続端子５１ｄ１〜５１ｄ４の中の一つの端子部分には、プラグ側リード線４１の一端が接続されている。
【００２５】
ＣＴＴ５２〜５４はＣＴＴ５１と同様である。つまり、ＣＴＴ５２〜５４の接続端子が短絡され、ＣＴＴ５２〜５４の接続端子の一つには、プラグ側リード線４２〜４４の一端がそれぞれ接続されている。
【００２６】
端子台部２０は各リード線を中継するものであり、その一例を図４と図５に示す。端子台部２０は直方体形の台部分２１を備えている。台部分２１は絶縁材料で作られている。台部分２１の両側にはＬ字形の側部２２ａ、２２ｂが設けられている。側部２２ａ、２２ｂは絶縁材料で作られていて、台部分２１と一体に設けられている。側部２２ａと側部２２ｂとの間の台部分２１には、側壁２３ａ１〜２３ａ９と、側壁２３ｂ１〜２３ｂ９とが互いに平行に設けられている。側壁２３ａ１〜２３ａ９と、側壁２３ｂ１〜２３ｂ９とは、絶縁材料で作られていて、台部分２１と一体で板状に、かつ、台部分２１から突き出るように設けられている。
【００２７】
側壁２３ａ１〜２３ａ９の間には端子２４ａ１〜２４ａ８が設けられ、側壁２３ｂ１〜２３ｂ９の間には、端子２４ｂ１〜２４ｂ８が設けられている。つまり、台部分２１では、端子が２列に配置された構成である。端子２４ａ１〜２４ａ８と端子２４ｂ１〜２４ｂ８とは電気を通す金属で作られている。さらに、例えば端子２４ａ１は向かい合う端子２４ｂ１と電気的に接続されていて導通状態にある。他の端子２４ａ２〜２４ａ８と端子２４ｂ２〜２４ｂ８も同様である。
【００２８】
一方の列の端子２４ａ１〜２４ａ８は止めネジ２４ａ１１〜２４ａ１８を備え、他方の列の端子２４ｂ１〜２４ｂ８は止めネジ２４ｂ１１〜２４ｂ１８を備えている。例えば止めネジ２４ａ１１は、リード線の先端に取り付けられているＯ字形のＡ端子やＵ字形のＢ端子を、止めネジ２４ａ１１で端子２４ａ１に固定する。この実施の形態では迅速な作業をするために、Ｕ字形のＢ端子が用いられる。
【００２９】
他の端子２４ａ２〜２４ａ８と端子２４ｂ１〜２４ｂ８とは端子２４ａ１と同様である。
【００３０】
端子台部２０の一方の列の端子２４ａ１〜２４ａ８と他方の列の端子２４ｂ１〜２４ｂ８とは次のように接続されている。この様子を図６に示す。なお、図６では、図面の複雑化を避けるために、端子と止めネジを表す符合の一部の図示を省略している。端子台部２０では、端子２４ｂ１がアース側リード線３０の一端に接続されている。アース側リード線３０の他端は現場でアース端子１１に接続される。端子２４ｂ１は端子２４ａ１に連結されているので、アース側リード線３０を端子２４ｂ１に接続することにより、端子２４ａ１はアース側リード線３０に接続される。
【００３１】
端子台部２０の端子２４ｂ１と端子２４ｂ２との間はジャンパー線２５ａで接続される。端子２４ｂ２は端子２４ａ２に連結されているので、端子２４ｂ１と端子２４ｂ２との間をジャンパー線２５ａで接続することにより、端子２４ａ２はアース側リード線３０に接続される。同じようにして、端子２４ｂ２と端子２４ｂ３との間をジャンパー線２５ｂで接続することにより、端子２４ａ３はアース側リード線３０に接続され、端子２４ｂ３と端子２４ｂ４との間をジャンパー線２５ｃで接続することにより、端子２４ａ４はアース側リード線３０に接続される。
【００３２】
つまり、アース側リード線３０が現場でアース端子１１に接続されると、端子台部２０の一方の側に配列されている端子２４ａ１〜２４ａ４はすべて接地されることになる。同じようにして、他の端子２４ａ５〜２４ａ８についてもジャンパー線で端子間を接続することで接地される。これにより、接地される端子を必要に応じて増減することができる。
【００３３】
台部分２１の両側に設けられているＬ字形の側部２２ａと側部２２ｂとには、磁石６０が取り付けられている。磁石６０は、保護継電器盤１０の金属製の扉１０ａに磁力で吸着する。これにより、端子台部２０は扉１０ａに固定される。
【００３４】
以上がこの実施の形態による試験プラグ用アース線取り付け装置の構成である。次に、この試験プラグ用アース線取り付け装置の作用について説明する。発変電所の保護継電器を試験する際に、作業員は使用するＣＴＴの数、この実施の形態ではＣＴＴ５１〜５４に応じて、端子台部２０の端子２４ｂ１〜２４ｂ４をジャンパー線２５ａ〜２５ｃで連結する。さらに、作業員は端子台部２０の端子２４ｂ１にアース側リード線３０の一端を接続する。他方の列の端子２４ｂ１〜２４ｂ４は一方の列の端子２４ａ１〜２４ａ４にそれぞれ接続されているので、アース側リード線３０は端子台部２０の端子２４ａ１〜２４ａ４にそれぞれ接続された状態になる。
【００３５】
次に、作業員は、ＣＴＴ５１〜５４に一端が接続されているプラグ側リード線４１〜４４の他端を、端子台部２０の端子２４ａ１〜２４ａ４に接続する。これにより、アース側リード線３０はプラグ側リード線４１〜４４にそれぞれ接続された状態になる。
【００３６】
以上の作業を作業員が作業の容易な場所で行えば、試験現場での作業効率を向上させることが可能である。さらに、Ｕ字形のＢ端子をアース側リード線３０に用いることで、現場でのアース側リード線３０の接続を容易にする。なお、Ｏ字形のＡ端子を例えばアース側リード線３０に用いると、現場では、保護継電器盤１０のアース端子１１の先端部のツマミを作業員が外してＡ端子を通し、ツマミを元に戻す必要があるので、現場での作業性が著しく低下する。
【００３７】
この後、作業員は、保護継電器盤１０の扉１０ａのアース端子１１付近に、端子台部２０を磁石６０による吸着で固定する。さらに、作業員はアース側リード線３０の他端を、保護継電器盤１０のアース端子１１に接続する。アース側リード線３０はプラグ側リード線４１〜４４にそれぞれ接続されているので、ＣＴＴ５１の接続端子５１ｄ１〜５１ｄ４を含むＣＴＴ５１〜５４のすべての接続端子が接地された状態になる。
【００３８】
この後、作業員は、保護継電器盤１０の電流試験ターミナル１２ａ〜１２ｅの中で対象となる電流試験ターミナルの開口に、ＣＴＴ５１〜５４を挿入して保護継電器の試験を行う。このとき、端子２４ａ１〜２４ａ４に対してプラグ側リード線４１〜４４がそれぞれ一本ずつ接続され、アース端子１１に対してもアース側リード線３０が一本だけ接続されているので、つまり、１端子に一本のリード線が接続されているので、作業の際にプラグ側リード線４１〜４４やアース側リード線３０が作業員によって引っ張られたり揺れたりしても、プラグ側リード線４１〜４４やアース側リード線３０が端子から外れることがない。
【００３９】
こうして、この実施の形態によれば、ＣＴＴ５１〜５４に一端が接続されているプラグ側リード線４１〜４４の他端を、端子台部２０の一方の列の端子２４ａ１〜２４ａ４にそれぞれ接続するので、端子台部２０の端子２４ａ１〜２４ａ４にはプラグ側リード線４１〜４４が一本ずつ接続される。さらに、保護継電器盤１０のアース端子１１に対しては、一端が端子台部２０の端子２４ｂ１に接続されているアース側リード線３０の他端が接続されるので、アース端子１１にもアース側リード線３０が一本だけ接続される。これにより、従来のように各ＣＴＴからのプラグ側リード線をまとめてアース端子１１に接続する場合に比べて、アース側リード線３０やプラグ側リード線４１〜４４が外れることを防ぐことができる。
【００４０】
また、この実施の形態による試験プラグ用アース線取り付け装置は端子台部２０を利用するので、試験プラグ用アース線取り付け装置を簡便な構造にすることができる。
【００４１】
また、プラグ側リード線４１〜４４の一端を端子台部２０の端子２４ａ１〜２４ａ４に接続するだけで、ＣＴＴ５１〜５４を同一の保護継電器盤１０のアース端子１１に接地することができるので、作業性の低下を防ぐことができる。
【００４２】
さらに、この実施の形態によれば、磁石６０により保護継電器盤１０のアース端子１１の近辺などに端子台部２０を任意に固定することができるので、作業を妨げない場所に端子台部２０を置くことができる。
【００４３】
（実施の形態２）
この実施の形態では、アース側リード線３０やプラグ側リード線４１〜４４を次のようにしている。この実施の形態では、先に説明した実施の形態１と同一もしくは同一と見なされる構成要素には、それと同じ参照符号を付けて、その説明を省略する。
【００４４】
この実施の形態では、例えば、アース側リード線３０の間に巻取り器を取り付ける。巻取り器は、手動またはスプリング等でアース側リード線３０を巻き取る。この巻取り器により、アース側リード線３０を任意に巻き取って、アース側リード線３０の長さを変えることができる。この実施の形態では、プラグ側リード線４１〜４４についても同様の巻取り器を取り付ける。
【００４５】
これにより、アース端子１１や電流試験ターミナル１２ａ〜１２ｅの設置位置に応じて、作業の邪魔にならないようにアース側リード線３０やプラグ側リード線４１〜４４の長さを調節することができる。
【符号の説明】
【００４６】
１０  保護継電器盤
１１  アース端子
１２ａ〜１２ｅ  電流試験ターミナル
２０  端子台部
２１  台部分
２２ａ、２２ｂ  側部
２３ａ１〜２３ａ９、２３ｂ１〜２３ｂ９  側壁
２４ａ１〜２４ａ８  端子（第２の端子）
２４ｂ１〜２４ｂ８  端子（第１の端子）
２５ａ〜２５ｃ  ジャンパー線
３０  アース側リード線（アース側接続線）
４１〜４４  プラグ側リード線（プラグ側接続線）
５１〜５４  ＣＴＴ（試験プラグ）
６０  磁石（固定具）
【図１】
2020129870.tif 000003
【図２】
2020129870.tif 000004
【図３】
2020129870.tif 000005
【図４】
2020129870.tif 000006
【図５】
2020129870.tif 000007
【図６】
2020129870.tif 000008